【手続補正書】
【提出日】令和2年3月12日(2020.3.12)
【手続補正１】
【補正対象書類名】明細書
【補正対象項目名】発明の名称
【補正方法】変更
【補正の内容】
【発明の名称】広告作成システム、サーバ装置、制御方法、及びプログラム
【手続補正２】
【補正対象書類名】明細書
【補正対象項目名】０００１
【補正方法】変更
【補正の内容】
【０００１】
本発明は、広告作成システム、サーバ装置、制御方法、及びプログラムに関する。
【手続補正３】
【補正対象書類名】明細書
【補正対象項目名】０００７
【補正方法】変更
【補正の内容】
【０００７】
しかしながら、本部から送られてきた企画の広告データより印刷を行おうとすると、本部側は同一の企画の広告データを全ての店舗に一括して送信している。そのため企画対象の商品の中には店舗によって扱っていない商品や、在庫切れした商品の広告も広告のデータに含まれてしまう。そのため各店舗の作業者は、本部から送られてきた企画の広告データ一覧を参照しながら、自店舗にある商品をそれぞれ選択することでＰＯＰ広告の印刷を行う必要があり、非常に手間である。
【手続補正４】
【補正対象書類名】明細書
【補正対象項目名】０００８
【補正方法】変更
【補正の内容】
【０００８】
本発明は、ユーザの手間を軽減し、複数の店舗のうち任意の店舗の商品の広告データを容易に作成することを目的としている。
【手続補正５】
【補正対象書類名】明細書
【補正対象項目名】０００９
【補正方法】変更
【補正の内容】
【０００９】
上記の目的を達成するために、本発明は、店舗で用いられる広告を生成可能な広告作成システムであって、複数の店舗における広告を生成するための商品情報を含む第一の広告データと、前記複数の店舗のうち任意の店舗の商品に関する商品情報とを取得する取得手段と、前記取得手段で取得される前記第一の広告データに含まれる商品情報と、前記任意の店舗の商品情報とに基づいて、前記任意の店舗の第二の広告データに含める商品情報を選択する選択手段と、前記第一の広告データに基づき、前記選択手段により選択された商品情報を含む第二の広告データを前記任意の店舗の広告データとして生成する生成手段とを備えることを特徴とする。
また、本発明は、店舗で用いられる広告を生成可能な広告作成システムの制御方法であって、複数の店舗における広告を生成するための商品情報を含む第一の広告データと、前記複数の店舗のうち任意の店舗の商品に関する商品情報とを取得する取得ステップと、前記取得ステップで取得される前記第一の広告データに含まれる商品情報と、前記任意の店舗の商品情報とに基づいて、前記任意の店舗の第二の広告データに含める商品情報を選択する選択ステップと、前記第一の広告データに基づき、前記選択ステップにより選択された商品情報を含む第二の広告データを前記任意の店舗の広告データとして生成する生成ステップとを含むことを特徴とする。
また、本発明は、コンピュータを、上記の広告作成システムとして機能させるためのプログラムであることを特徴とする。
また、本発明は、店舗で用いられる広告を生成可能なサーバ装置であって、複数の店舗における広告を生成するための商品情報を含む第一の広告データと、前記複数の店舗のうち任意の店舗の商品に関する商品情報とを取得する取得手段と、前記取得手段で取得される前記第一の広告データに含まれる商品情報と、前記任意の店舗の商品情報とに基づいて、前記任意の店舗の第二の広告データに含める商品情報を選択する選択手段と、前記第一の広告データに基づき、前記選択手段により選択された商品情報を含む第二の広告データを前記任意の店舗の広告データとして生成する生成手段とを備えることを特徴とする。
また、本発明は、店舗で用いられる広告を生成可能なサーバ装置の制御方法であって、複数の店舗における広告を生成するための商品情報を含む第一の広告データと、前記複数の店舗のうち任意の店舗の商品に関する商品情報とを取得する取得ステップと、前記取得ステップで取得される前記第一の広告データに含まれる商品情報と、前記任意の店舗の商品情報とに基づいて、前記任意の店舗の第二の広告データに含める商品情報を選択する選択ステップと、前記第一の広告データに基づき、前記選択ステップにより選択された商品情報を含む第二の広告データを前記任意の店舗の広告データとして生成する生成ステップとを含むことを特徴とする。
また、本発明は、コンピュータを、上記のサーバ装置として機能させるためのプログラムであることを特徴とする。
【手続補正６】
【補正対象書類名】明細書
【補正対象項目名】００１０
【補正方法】変更
【補正の内容】
【００１０】
本発明によれば、ユーザの手間を軽減し、複数の店舗のうち任意の店舗の商品の広告データを容易に作成可能にすることができる。
【手続補正７】
【補正対象書類名】特許請求の範囲
【補正対象項目名】全文
【補正方法】変更
【補正の内容】
【特許請求の範囲】
【請求項１】
店舗で用いられる広告を生成可能な広告作成システムであって、
複数の店舗における広告を生成するための商品情報を含む第一の広告データと、前記複数の店舗のうち任意の店舗の商品に関する商品情報とを取得する取得手段と、
前記取得手段で取得される前記第一の広告データに含まれる商品情報と、前記任意の店舗の商品情報とに基づいて、前記任意の店舗の第二の広告データに含める商品情報を選択する選択手段と、
前記第一の広告データに基づき、前記選択手段により選択された商品情報を含む第二の広告データを前記任意の店舗の広告データとして生成する生成手段と
を備えることを特徴とする広告作成システム。
【請求項２】
前記任意の店舗の商品に関する商品情報は、前記任意の店舗において、在庫商品に関する商品情報、及び発注商品に関する商品情報のうち少なくともいずれかを含むことを特徴とする請求項１に記載の広告作成システム。
【請求項３】
前記第一の広告データは、特定の商品に対応する、期間限定の販売企画に関する期間情報を含み、 前記生成手段は、前記期間情報を含む前記第二の広告データを生成することを特徴とする請求項１または２に記載の広告作成システム。
【請求項４】
前記生成手段により生成される前記第二の広告データを、前記期間情報ごとに識別可能に表示するよう制御する表示制御手段を更に備えることを特徴とする請求項３に記載の広告作成システム。
【請求項５】
前記生成手段で前記第二の広告データを生成する予約日を受け付ける処理予約受付手段を更に備え、
前記生成手段は、前記処理予約受付手段で受け付けた予約日以降に、前記第二の広告データを生成することを特徴とする請求項１乃至４のいずれか１項に記載の広告作成システム。
【請求項６】
前記処理予約受付手段で受け付けた予約日以降に、前記生成手段で生成される前記第二の広告データを、前記任意の店舗の情報処理装置に送信可能にする送信手段を更に備えることを特徴とする請求項５に記載の広告作成システム。
【請求項７】
前記第二の広告データを即時生成するかの指示を受け付ける受付手段と、
前記受付手段により、前記第二の広告データを即時生成する指示を受け付けた場合には、前記生成手段による生成処理を行うように制御する制御手段と、
を備えることを特徴とする請求項１乃至６のいずれか１項に記載の広告作成システム。
【請求項８】
前記広告は、ＰＯＰ広告であることを特徴とする請求項１乃至７のいずれか１項に記載の広告作成システム。
【請求項９】
店舗で用いられる広告を生成可能な広告作成システムの制御方法であって、
複数の店舗における広告を生成するための商品情報を含む第一の広告データと、前記複数の店舗のうち任意の店舗の商品に関する商品情報とを取得する取得ステップと、
前記取得ステップで取得される前記第一の広告データに含まれる商品情報と、前記任意の店舗の商品情報とに基づいて、前記任意の店舗の第二の広告データに含める商品情報を選択する選択ステップと、
前記第一の広告データに基づき、前記選択ステップにより選択された商品情報を含む第二の広告データを前記任意の店舗の広告データとして生成する生成ステップと
を含むことを特徴とする広告作成システムの制御方法。
【請求項１０】
コンピュータを、請求項１乃至８のいずれ１項に記載の広告作成システムとして機能させるためのプログラム。
【請求項１１】
店舗で用いられる広告を生成可能なサーバ装置であって、
複数の店舗における広告を生成するための商品情報を含む第一の広告データと、前記複数の店舗のうち任意の店舗の商品に関する商品情報とを取得する取得手段と、
前記取得手段で取得される前記第一の広告データに含まれる商品情報と、前記任意の店舗の商品情報とに基づいて、前記任意の店舗の第二の広告データに含める商品情報を選択する選択手段と、
前記第一の広告データに基づき、前記選択手段により選択された商品情報を含む第二の広告データを前記任意の店舗の広告データとして生成する生成手段と
を備えることを特徴とするサーバ装置。
【請求項１２】
店舗で用いられる広告を生成可能なサーバ装置の制御方法であって、
複数の店舗における広告を生成するための商品情報を含む第一の広告データと、前記複数の店舗のうち任意の店舗の商品に関する商品情報とを取得する取得ステップと、
前記取得ステップで取得される前記第一の広告データに含まれる商品情報と、前記任意の店舗の商品情報とに基づいて、前記任意の店舗の第二の広告データに含める商品情報を選択する選択ステップと、
前記第一の広告データに基づき、前記選択ステップにより選択された商品情報を含む第二の広告データを前記任意の店舗の広告データとして生成する生成ステップと
を含むことを特徴とするサーバ装置の制御方法。
【請求項１３】
コンピュータを、請求項１１に記載のサーバ装置として機能させるためのプログラム。